(57)【要約】      （修正有）【課題】部品点数や工数を減少させつつ、フレキシブル配線基板を確実に固定することのできる電気光学装置及び電子機器を提供すること。【解決手段】電気光学材料が配置されてなる電気光学パネルと、前記電気光学パネルに実装されるフレキシブル配線基板１５と、前記電気光学パネルに対して可視光を照射する照光手段と、前記電気光学パネルと前記照光手段とを一体に保持し、且つ、前記フレキシブル配線基板１５を保持する保持部４０を有するフレーム３１，５１と、を具備する。【選択図】図２
2005283828.tif 000002
【特許請求の範囲】
【請求項１】
電気光学材料が配置されてなる電気光学パネルと、
前記電気光学パネルに実装されるフレキシブル配線基板と、
前記電気光学パネルに対して可視光を照射する照光手段と、
前記電気光学パネルと前記照光手段とを一体に保持し、且つ、前記フレキシブル配線基板を保持する保持部を有するフレームと、
を具備することを特徴とする電気光学装置。
【請求項２】
前記フレキシブル配線基板は折り曲げて形成された曲部を有しており、
前記保持部は、前記フレキシブル配線基板の一部を覆っていることを特徴とする請求項１に記載の電気光学装置。
【請求項３】
前記保持部は開口部を有していることを特徴とする請求項１または２に記載の電気光学装置。
【請求項４】
前記曲部は、前記開口部から露出していることを特徴とする請求項３に記載の電気光学装置。
【請求項５】
前記保持部は、前記曲部を覆う部分が閉塞していることを特徴とする請求項２に記載の電気光学装置。
【請求項６】
請求項１〜５のいずれか１項に記載の電気光学装置を備えたことを特徴とする電子機器。
【発明の詳細な説明】
【技術分野】
【０００１】
本発明は、電気光学装置及び電子機器に関するものである。特に、この発明は、電気光学装置の組立ての容易化を図ることのできる電気光学装置及び電子機器に関するものである。
【背景技術】
【０００２】
携帯電話やその他の移動体通信機器などの携帯機器は、表示媒体として液晶表示装置などの電気光学装置が必要不可欠である。このような携帯機器は、携帯性を重視するため軽量化、小型化、薄型化などが求められる。従って、液晶表示装置などの電気光学装置にも軽量化、小型化、薄型化などが求められる。また、前記電気光学装置は、表示部を有する電気光学パネルが設けられおり、電気光学パネルには当該電気光学パネル等を駆動する電気部品が備えられたフレキシブル配線基板が実装されている。このように形成された従来の電気光学装置では、上記のように小型化等の要求に対応するために、前記表示部が形成される面の反対側の面に前記フレキシブル配線基板を折り曲げて使用していた。その際に、このフレキシブル配線基板の固定は、軽量化や薄型化の観点から、ビス等の固定部品を用いずに固定している。例えば、特許文献１では、フレキシブル配線基板は、導光板の、液晶パネルが配置される側の反対側の面に固定されている。このような場合、上記のように軽量化等を鑑みて、フレキシブル配線基板は両面接着テープで固定される。これにより、フレキシブル配線基板を固定する構造が不要になるので、軽量化や薄型化を図ることができる。
【０００３】
【特許文献１】特開２００２−９８９５８号公報
【発明の開示】
【発明が解決しようとする課題】
【０００４】
しかしながら、上記のように両面接着テープを使用して固定する場合には、接着する面積や接着剤の量、または接着面の状態によって接着している部分が剥がれてしまう虞があった。また、両面接着テープで固定する場合には、両面接着テープを導光板等に接着する工程と、フレキシブル配線基板を両面接着テープに接着する工程があるため、フレキシブル配線基板を固定するための工数が多かった。また、フレキシブル配線基板の固定は、両面接着テープでの固定以外には、固定部材でフレキシブル配線基板を押え付けて固定する方法もあるが、固定部材を別体に形成すると、部品点数が増加してしまう。これらのように、工数が多い場合や部品点数の増加は、製造コストが増加する要因になっていた。
【０００５】
本発明は、上記に鑑みてなされたものであって、部品点数や工数を減少させつつ、フレキシブル配線基板を確実に固定することのできる電気光学装置及び電子機器を提供することを目的とする。
【課題を解決するための手段】
【０００６】
上述した課題を解決し、目的を達成するために、本発明に係る電気光学装置は、電気光学材料が配置されてなる電気光学パネルと、前記電気光学パネルに実装されるフレキシブル配線基板と、前記電気光学パネルに対して可視光を照射する照光手段と、前記電気光学パネルと前記照光手段とを一体に保持し、且つ、前記フレキシブル配線基板を保持する保持部を有するフレームと、を具備することを特徴とする。これにより、電気光学パネルと照光手段とをフレームで一体に保持する際に、これらを保持すると同時にフレームが有する保持部によってフレキシブル配線基板を保持することができる。この結果、部品点数や工数を減少させつつ、フレキシブル配線基板を確実に固定することができる、という効果を奏する。また、部品点数や工数が減少するので、製造コストの低減を図ることができる、という効果を奏する。
【０００７】
また、本発明の好ましい態様によれば、前記フレキシブル配線基板は折り曲げて形成された曲部を有しており、前記保持部は、前記フレキシブル配線基板の一部を覆っていることを特徴とする。これにより、折り曲げられた状態のフレキシブル配線基板を、当該フレキシブル配線基板を覆う保持部で押さえることができる。この結果、部品点数や工数を減少させつつ、フレキシブル配線基板を確実に固定することができる、という効果を奏する。
【０００８】
また、本発明の好ましい態様によれば、前記保持部は開口部を有していることを特徴とする。これにより、電気光学装置に設けられるＬＥＤの点灯時に発生する熱など、電気光学装置の作動時に発生する熱を、開口部から外部に放出することができる。電気光学装置の熱が上昇し過ぎた場合には、フレキシブル配線基板に搭載される電気部品などが作動不良を起こす虞があり、これにより電気光学パネルやバックライトユニットが作動不良を起こす虞がある。そこで、保持部に開口部を形成することにより、電気光学装置の作動時に発生する熱を開口部から外部に放出することができるので、温度が上昇し過ぎることを抑制できる。この結果、熱が上昇し過ぎることに起因する電気光学装置の作動不良を抑制することができる、という効果を奏する。
【０００９】
また、本発明の好ましい態様によれば、前記曲部は、前記開口部から露出していることを特徴とする。これにより、フレームは電気光学パネル及び照光手段の大きさに合わせて形成し、フレキシブル配線基板はフレームからはみ出させることができるので、フレームの大きさを小さくすることができる。この結果、電気光学装置全体の小型化を図ることができる、という効果を奏する。
【００１０】
また、本発明の好ましい態様によれば、前記保持部は、前記曲部を覆う部分が閉塞していることを特徴とする。これにより、保持部の強度が向上するので、フレキシブル配線基板の保持の確実性が向上する。また、フレキシブル配線基板付近のフレームの強度を向上させることができる。これらの結果、フレキシブル配線基板をより確実に保持することができ、さらに、電気光学装置の強度を向上させることができる、という効果を奏する。
【００１１】
また、本発明にかかる電子機器は、上記の発明のいずれかに記載の電気光学装置を備えたことを特徴とする。これにより、部品点数や工数を減少させつつ、フレキシブル配線基板を確実に固定することができる電気光学装置を有する電子機器とすることができる。このように、電気光学装置の部品点数や工数が減少するので、電子機器の製造コストの低減を図ることができる。また、フレキシブル配線基板を確実に固定することができるので、フレキシブル配線基板の固定が外れることが低減された、高品質な電子機器を得ることができる。
【発明を実施するための最良の形態】
【００１２】
以下に、本発明に係る電気光学装置及び電子機器の実施例を図面に基づいて詳細に説明する。なお、この実施例により本発明が限定されるものではない。また、下記実施例における構成要素には、当業者が置換可能かつ容易なもの、或いは実質的に同一のものが含まれる。また、以下の説明では、電気光学装置の一例として液晶表示装置を例に挙げて説明するが、これらの実施例により本発明が限定されるものではなく、エレクトロルミネッセンス装置、プラズマディスプレイ装置、電気泳動表示装置、電子放出素子を用いた装置などの電気光学装置にも適用することが可能である。また、以下の説明では、液晶表示装置の表示部側を上面、反対側の面を下面として説明する。
【実施例１】
【００１３】
図１は、本発明に係る液晶表示装置の実施例１を示す斜視図である。電気光学装置の一例である液晶表示装置１は、電気光学パネルとして後述する液晶表示パネル１０と、照光手段として後述するバックライトユニット２５を、ステンレス等の金属材料で形成されるフレームである金属フレーム３０で保持している。なお、この金属フレーム３０は、ステンレス以外に、アルミ、燐青銅、ベリリウム銅等を使用してもよい。この金属フレーム３０は、液晶表示装置１の上面側に位置する上フレーム３１と、液晶表示装置１の下面側に位置する下フレーム５１とが結合して一体に形成されている。このように上フレーム３１と下フレーム５１とが結合して一体に形成することにより、金属フレーム３０は前記液晶表示パネル１０及びバックライトユニット２５を保持している。また、上フレーム３１には、矩形の表示孔３３が形成されており、この表示孔３３の内側方向には、前記液晶表示パネル１０が有する表示部１１が位置している。また、上フレーム３１と下フレーム５１とを結合させた状態では、当該金属フレーム３０は略直方体の形状で形成されている。この上フレーム３１と下フレーム５１とは、上フレーム３１の側面３４が下フレーム５１の側面５３の外側に位置するように形成されており、この側面３４、５３に形成された結合部６０によって上フレーム３１と下フレーム５１とは結合している。
【００１４】
図２は、図１の液晶表示装置を下方から見た状態を示す斜視図である。前記上フレーム３１の側面３４からは、前記液晶表示パネル１０に実装され、後述するフレキシブル配線基板１５の一部である曲部１６が露出している。さらに、この前記フレキシブル配線基板１５は、前記下フレーム５１の下面５２に接触し、下面５２に沿って形成されている。また、このフレキシブル配線基板１５の一部は、前記上フレーム３１に一体に形成される保持部４０によって覆われている。
【００１５】
図３は、図１の液晶表示装置の分解斜視図である。上フレーム３１と下フレーム５１との間には液晶表示パネル１０及びバックライトユニット２５が設けられている。前記上フレーム３１は、ステンレスの薄い板によって形成されており、その上面３２は略長方形の形状で形成されている。また、この上面３２には、上記のように矩形状の表示孔３３が形成されている。この上フレーム３１は、上記長方形の４辺の各辺で折り曲げられ、上面３２から下方に向けて形成された側面３４を有している。この側面３４は、前記上面３２の長方形の長手方向に形成される２つの長側面３５と、２つの長側面３５の間に形成される２つの短側面３６とにより形成されている。これらの側面３４のうち、長側面３５には、前記結合部６０の一部である結合孔６１が形成されている。また、２つの短側面３６のうち、一方の短側面３６には矩形状の開口部４２が形成されている。
【００１６】
図４は、図３に示す上フレームを下方から見た状態を示す斜視図である。上フレーム３１の２つの短側面３６のうち、前記開口部４２が形成されている側の短側面３６の下方には、押え部４１が形成されている。この押え部４１は、前記短側面３６の下側の辺で折り曲げられ、前記上面３２と平行な面になる方向に形成されている。即ち、押え部４１と短側面３６と上面３２とで、コの字状の形状となって形成されている。この押え部４１は、前記上面３２の長手方向における幅が所定の幅で形成され、前記短側面３６の長さと同じ長さで形成されている。また、この押え部４１には、前記上面３２の長手方向における２つの端辺４３のうち、当該押え部４１が形成されている側の短側面３６と対向する短側面３６側に位置する端辺４３に、切欠部４４が形成されている。この切欠部４４は、２つの端辺４３のうちの一方の端辺４３である当該切欠部４４が形成される端辺４３から、他方の端辺４３に向けて形成されており、この切欠部４４は、押え部４１が形成される短側面３６の形成方向において２ヶ所に形成されている。また、押え部４１が形成されている短側面３６の、前記長側面３５側の辺は、当該長側面３５と分離している。これらの押え部４１及び当該押え部４１が形成されている短側面３６は、前記フレキシブル配線基板１５を保持する保持部４０として形成されている。このように、上フレーム３１には、コの字状に形成された保持部４０が形成されている。
【００１７】
前記液晶表示パネル１０は、電気光学材料が配置されることによって形成されており、長方形で厚さが薄い板状の形状で形成されている。前記表示部１１は、この液晶表示パネル１０を形成する板状の形状の一方の面に形成されている。また、この液晶表示パネル１０には、フレキシブル配線基板１５が実装されている。また、フレキシブル配線基板１５の、液晶表示パネル１０の前記表示部１１が形成されている面の反対側の面にはＬＥＤ（Light Emitting Diode：発光ダイオード（図示省略））が実装されたＬＥＤ用フレキシブル配線基板（図示省略）が形成されている。このフレキシブル配線基板１５には、前記液晶表示パネル１０やＬＥＤを駆動させる電気部品が搭載され、これらを電気的に接続する電気配線が形成されている。また、このフレキシブル配線基板１５の端部には、外部の端子と接続可能な接続部１７が設けられている。
【００１８】
前記バックライトユニット２５は、プリズムシート（図示省略）、拡散シート（図示省略）、導光板（図示省略）及び反射シート（図示省略）が重ねられて形成されており、導光板の上側にプリズムシート及び拡散シートが重ねられ、導光板の下側には反射シートが重ねられて形成されている。これにより、液晶表示パネル１０と前記バックライトユニット２５とを上記のように金属フレーム３０で一体に保持する際には、バックライトユニット２５は、プリズムシート側の面を液晶表示パネル１０側に向けて形成されている。このバックライトユニット２５は、前記液晶表示パネル１０と同様に長方形で厚さが薄い板状の形状で形成されており、その大きさは、前記液晶表示パネル１０の大きさに近い大きさで形成されている。
【００１９】
前記下フレーム５１は、前記上フレーム３１と同様にステンレスの薄い板によって形成されており、その下面５２の形状は略長方形の形状で形成されている。この下面５２を形成する長方形の４辺のうち、２つの短い方の辺うちの１つの短い方の辺を除く３辺には、３辺の各辺で折り曲げられ、下面５２から上方に向けて形成された側面５３を有している。この側面５３は、前記下面５２の長方形の長手方向に形成される２つの長側面５４と、２つの長側面５４の間に形成される１つの短側面５５とにより形成されている。この側面５３が形成されていない残りの１辺には、当該液晶表示装置１を組立てた際に前記ＬＥＤを配置する部分であるＬＥＤ配置部５６と、前記バックライトユニット２５が、この側面５３が形成されていない側の辺の方向に移動することを規制する規制部５７が形成されている。前記ＬＥＤ配置部５６は、前記下面５２と同一面上に、搭載するＬＥＤの数と同数で形成されており、前記規制部５７は、ＬＥＤ配置部５６が形成されていない部分に下面５２から上方に向けて形成された板状の形状で形成されている。前記長側面５４には、上フレーム３１と下フレーム５１とを一体に組立てた際に、上フレーム３１の長側面５４に形成された前記結合孔６１に対応する位置に、前記結合部６０の一部である突起部６２が形成されている。
【００２０】
この実施例１にかかる電気光学装置は、以上のごとき構成からなり、以下、その作用について説明する。前記液晶表示装置１を組立てる際には、まず、バックライトユニット２５を下フレーム５１に嵌め込む。その向きは、バックライトユニット２５の反射シート側を下フレーム５１の下面５２側に向け、下フレーム５１の２つの長側面５４の間、及び短側面５５と規制部５７との間にバックライトユニット２５が入り込むようにして、当該バックライトユニット２５を下フレーム５１に嵌め込む。
【００２１】
図５は、液晶表示パネルが嵌め込まれた下フレームを下方から見た状態を示す図である。次に、前記液晶表示パネル１０を、バックライトユニット２５の上から、前記下フレーム５１に嵌め込む。その向きは、当該液晶表示パネル１０に実装されているフレキシブル配線基板１５が、下フレーム５１の下面５２の４つの辺のうち、前記側面５３が形成されていない辺の方向に位置する向きで、前記表示部１１が上方を向く向きで嵌め込まれる。この状態の下フレーム５１を下面５２方向から見ると、前記フレキシブル配線基板１５が、当該フレキシブル配線基板１５が位置している辺、即ち、下面５２の４つの辺のうちの前記側面５３が形成されていない辺から当該下面５２の長手方向に突出するように形成される。このフレキシブル配線基板１５には２つの仮止孔１８が形成されており、この２つの仮止孔１８は、上記の長手方向における位置が同じ位置となって形成されている。また、前記下面５２には、前記フレキシブル配線基板１５が位置している側の端部で、当該下面５２の外側の面、つまり、液晶表示パネル１０やバックライトユニット２５が位置している側の面と反対側の面に、仮止部５８が２つ形成されている。この２つの仮止部５８は、前記仮止孔１８と同様に上記の長手方向における位置が同じ位置となって形成されている。この仮止部５８の形状は、下面５２から離れる方向に下面５２と直交して形成される板と、この板と直交して下面５２と平行に形成され、フレキシブル配線基板１５の方向に向かって形成される板とによって形成されている。この仮止部５８を長側面５４の方向から見るとＬ字状の形状で形成されている。なお、このように液晶表示パネル１０が下フレーム５１に嵌め込まれた場合には、前記ＬＥＤは、ＬＥＤ配置部５６に配置され、前記バックライトユニット２５の側方に位置した状態となる。
【００２２】
図６は、フレキシブル配線基板を折り曲げた状態を示す図である。次に、前記フレキシブル配線基板１５を、下フレーム５１の下面５２方向に折り曲げる。つまり、下面５２から突出するように形成されているフレキシブル配線基板１５を、下面５２の外側の面に接触するように折り曲げる。その際に、折り曲げる部分は、当該フレキシブル配線基板１５が前記下面５２から突出している部分付近で折り曲げ、折り曲げる部分のフレキシブル配線基板１５を湾曲させて折り曲げる。この湾曲している部分は曲部１６として形成されており、この曲部１６は、前記長側面５４の、当該フレキシブル配線基板１５が形成されている側の端部よりも上記の長手方向に突出している。このように、折り曲げたフレキシブル配線基板１５は、当該フレキシブル配線基板１５に形成される仮止孔１８に前記仮止部５８を挿入し、この仮止孔１８と仮止部５８とを係合させることにより、フレキシブル配線基板１５を折り曲げた状態で仮止めする。
【００２３】
図７は、図２のＡ−Ａ断面図である。次に、上記のように液晶表示パネル１０及びバックライトユニット２５がはめ込まれ、フレキシブル配線基板１５が折り曲げられて下面５２に仮止めされた下フレーム５１に、上フレーム３１を結合させる。下フレーム５１に対する上フレーム３１の向きは、前記表示孔３３が液晶表示パネル１０側になり、前記開口部４２がフレキシブル配線基板１５の曲部１６側となる向きで結合させる。結合させる際には、下フレーム５１のフレキシブル配線基板１５が折り曲げられている部分が、上フレーム３１の保持部４０のコの字状の間、即ち、上フレーム３１の上面３２と押え部４１との間に入るようにする。その際に、上フレーム３１の開口部４２が形成されている短側面３６と、この短側面３６の両端の長側面３５とは分離しており、上フレーム３１は金属材料で形成されているため弾力性を有しているので、上面３２と押え部４１との間隔を開かせながら、下フレーム５１をこの間に入れる。前記フレキシブル配線基板１５の曲部１６は、下フレーム５１の長側面５４のフレキシブル配線基板１５側の端部よりも長手方向において突出しているが、保持部４０には前記開口部４２が形成されているので、曲部１６はこの開口部４２に挿通される。上フレーム３１と下フレーム５１とは、この状態で結合させる。
【００２４】
この上フレーム３１と下フレーム５１との結合は、下フレーム５１に形成された突起部６２が上フレーム３１に形成された結合孔６１に入り込み、これらが結合することによって、上フレーム３１と下フレーム５１とは結合する。このように、上フレーム３１と下フレーム５１とを結合させた際には、曲部１６は開口部４２から外側方向に露出する。これにより、フレキシブル配線基板１５の曲部１６は金属フレーム３０の長手方向の全長Ｌ（図１参照）よりも、長手方向にはみ出て形成されている。また、保持部４０の押え部４１は、フレキシブル配線基板１５の一部を覆うように形成され、下フレーム５１に形成される前記仮止部５８は押え部４１の切欠部４４が形成されている部分に位置して逃がされる。また、保持部４０のコの字の間に下フレーム５１を入れる際には開いていた上フレーム３１の上面３２と押え部４１は、保持部４０が有する弾性力により元の形状に戻り、さらに保持部４０の弾性力により、押え部４１はフレキシブル配線基板１５を下フレーム５１の下面５２の方向に押さえ付ける。
【００２５】
このように、押え部４１に押さえ付けられることによって保持部４０に保持されているフレキシブル配線基板１５の接続部１７に外部の端子を接続し、フレキシブル配線基板１５から電気信号等を送ることにより、液晶表示装置１を作動させる。この液晶表示装置１が作動する際には、前記液晶表示パネル１０の表示部１１がフレキシブル配線基板１５からの電気信号等によって情報を表示する。また、前記バックライトユニット２５の側方に位置するＬＥＤが点灯し、バックライトユニット２５を形成する各部の光学的な作用によって、バックライトユニット２５から液晶表示パネル１０の方向に可視光を照射する。この可視光は前記表示部１１を透過し、この可視光を目視することにより、表示部１１の情報を視認することができる。
【００２６】
以上の液晶表示装置１は、金属フレーム３０で液晶表示パネル１０とバックライトユニット２５とを一体に保持すると同時に、上フレーム３１が有する保持部４０でフレキシブル配線基板１５を保持している。従来の液晶表示装置のようにフレキシブル配線基板を両面接着テープで保持する場合には、両面接着テープを用意する必要がある。また、金属フレームの上フレームと下フレームと結合する工程とは別に、両面接着テープをバックライトユニット等に貼り付ける工程と、フレキシブル配線基板を両面接着テープに貼り付ける工程が必要である。そこで、前記液晶表示装置１では、上フレーム３１に保持部４０を設け、上フレーム３１と下フレーム５１とを結合すると同時に、前記保持部４０でフレキシブル配線基板１５を保持している。この結果、部品点数や工数を減少させつつ、フレキシブル配線基板１５を確実に固定することができる。また、部品点数や工数が減少するので、製造コストの低減を図ることができる。
【００２７】
また、保持部４０でフレキシブル配線基板１５を保持する際に、保持部４０でフレキシブル配線基板１５の一部を覆っている。さらに、当該保持部４０は弾力性を有しているので、その弾力性により、押え部４１でフレキシブル配線基板１５を下フレーム５１に押え付けて保持している。この結果、部品点数や工数を減少させつつ、フレキシブル配線基板１５を確実に固定することができる。
【００２８】
また、保持部４０に開口部４２が形成されているので、ＬＥＤの点灯時に発生する熱など液晶表示装置１の作動時に発生する熱を、この開口部４２から外部に放出することができる。例えば、ＬＥＤの発熱により、ＬＥＤの近傍に設けられているフレキシブル配線基板１５の熱が上昇し過ぎる虞がある。この場合、フレキシブル配線基板１５に搭載されている電気部品の温度が上昇し過ぎて、電気部品が作動不良を起こし、これにより液晶表示パネル１０やＬＥＤが作動不良を起こす虞がある。そこで、保持部４０に開口部４２を形成して液晶表示装置１の作動時に発生する熱を開口部４２から放出することにより、温度が上昇し過ぎることを抑制できる。この結果、熱が上昇し過ぎることに起因する液晶表示装置１の作動不良を抑制することができる。
【００２９】
また、フレキシブル配線基板１５の曲部１６は、金属フレーム３０の開口部４２から露出しており、金属フレーム３０の長手方向の全長Ｌからはみ出して形成されている。このようにフレキシブル配線基板１５を金属フレーム３０からはみ出させて形成することにより、金属フレーム３０をフレキシブル配線基板１５に影響されずに形成することができ、大きさを小さくすることができる。この結果、液晶表示装置１全体の小型化を図ることができる。
【００３０】
また、液晶表示パネル１０とバックライトユニット２５とを上フレーム３１と下フレーム５１とで保持する際に、フレキシブル配線基板１５を上フレーム３１が有する保持部４０で同時に保持している。フレキシブル配線基板１５を両面接着テープで固定する場合には、固定する位置がずれたりして貼り間違えた場合、フレキシブル配線基板１５を両面接着テープから剥がす際にフレキシブル配線基板１５が折れるなどして、再使用が困難になる。そこで、フレキシブル配線基板１５を、上フレーム３１が有する保持部４０で押えて付けて保持することにより、フレキシブル配線基板１５の位置がずれたりした場合には、上フレーム３１と下フレーム５１との結合を外すことにより、フレキシブル配線基板１５の位置を修正することができる。この結果、不良品が減少するため、歩留まりの向上を図ることができ、また、これにより製造コストの低減を図ることができる。
【００３１】
図８は、実施例１の液晶表示装置の変形例を示す要部斜視図であり、保持部が閉塞された状態を示す図である。図９は、図８のＢ−Ｂ断面図である。なお、上記の金属フレーム３０の保持部４０は開口部４２を有し、フレキシブル配線基板１５の曲部１６は開口部４２からはみ出して形成されているが、保持部は閉塞されていてもよい。例えば、図８に示すように、保持部７０が形成される短側面７１を閉塞してもよい。この短側面７１は、図９に示すように、上フレーム３１の長手方向においてフレキシブル配線基板１５の曲部１６の外方に位置させる。このように、曲部を覆う保持部７０を閉塞させることにより、保持部７０の強度を向上させることができる。この結果、フレキシブル配線基板１５をより確実に保持することができ、さらに、液晶表示装置１の強度を向上させることができる。
【００３２】
図１０は、実施例１の液晶表示装置の変形例を示す要部斜視図であり、保持部が湾曲した状態を示す図である。図１１は、図１０のＣ−Ｃ断面図である。また、保持部は、図１０に示すように、上記図８の短側面７１に該当する部分を湾曲させ、湾曲部８１として形成してもよい。この湾曲部８１は、図１１に示すように、フレキシブル配線基板１５の曲部１６が上フレーム３１の長手方向において凸となっている方向と同方向に凸となって湾曲している。このように、保持部８０を、湾曲部８１を有して形成することにより、上記の閉塞した短側面７１を有する保持部８０と比べて、湾曲の内側の体積が小さくなる。即ち、湾曲部８１の外側の空間を大きくすることができる。これにより、液晶表示装置１が小型化され、湾曲部８１の周囲に他の機器を配置することができる。この結果、保持部８０に閉塞した湾曲部８１を形成することにより、保持部８０の強度を向上させつつ、液晶表示装置１の小型化を図ることができる。
【実施例２】
【００３３】
実施例２では、実施例１において説明した電気光学装置を備える電子機器の具体例について説明する。図１２〜図１４は、それぞれ、上述した本発明に係る電気光学装置を搭載した電子機器の例である。図１２は、携帯電話の一例を示す斜視図である。この図１２において１００は携帯電話本体を示し、そのうち１０１はこの発明に係る電気光学装置からなる表示部である。図１３は、腕時計型の電子機器の一例を示す斜視図である。この図１３において１１０は時計機能を内蔵した時計本体を示し、１１１はこの発明に係る電気光学装置からなる表示部である。そして、図１４は、ワードプロセッサ機やパーソナルコンピュータなどの携帯型情報処理装置の一例を示す斜視図である。この図１４において、１２０は携帯型情報処理装置を示し、１２２はキーボードなどの入力部、１２４は演算手段や記憶手段などが格納されている情報処理装置本体部、１２６はこの発明に係る電気光学装置からなる表示部である。
【００３４】
これらの電子機器に本発明にかかる電気光学装置を使用すれば、高品質な電子機器を実現することができる。なお、電子機器は、電気光学装置を搭載可能であれば、これらに限らない。従って、このような電気光学装置を備えた電子機器としては、図１２に示される携帯電話、図１３に示される腕時計型の電気機器、図１４に示される携帯型情報処理装置の他に、例えば、デジタルスチルカメラ、車載用モニタ、デジタルビデオカメラ、ビューファインダ型またはモニタ直視型のビデオテープレコーダ、カーナビゲーション装置、ページャ、電子手帳、電卓、ワークステーション、テレビ電話、ＰＯＳ端末機などの電気光学装置を備える電子機器を挙げることができる。
【産業上の利用可能性】
【００３５】
以上のように、本発明に係る電気光学装置は、部品点数や工数の減少に有用であり、特に、フレキシブル配線基板を確実に固定する場合に適している。
【図面の簡単な説明】
【００３６】
【図１】本発明に係る液晶表示装置の実施例１を示す斜視図である。
【図２】図１の液晶表示装置を下方から見た状態を示す斜視図である。
【図３】図１の液晶表示装置の分解斜視図である。
【図４】図３に示す上フレームを下方から見た状態を示す斜視図である。
【図５】液晶表示パネルが嵌め込まれた下フレームを下方からの斜視図である。
【図６】フレキシブル配線基板を折り曲げた状態を示す図である。
【図７】図２のＡ−Ａ断面図である。
【図８】実施例１の液晶表示装置の変形例を示す要部斜視図である。
【図９】図８のＢ−Ｂ断面図である。
【図１０】実施例１の液晶表示装置の変形例を示す要部斜視図である。
【図１１】、図１０のＣ−Ｃ断面図である。
【図１２】電子機器の一例を示す図である。
【図１３】電子機器の一例を示す図である。
【図１４】電子機器の一例を示す図である。
【符号の説明】
【００３７】
１  液晶表示装置、１０  液晶表示パネル、１１  表示部、１５  フレキシブル配線基板、１６  曲部、１７  接続部、１８  仮止孔、２５  バックライトユニット、３０  金属フレーム、３１  上フレーム、３２  上面、３３  表示孔、３４  側面、３５  長側面、３６  短側面、４０  保持部、４１  押え部、４２  開口部、４３  端辺、４４  切欠部、５１  下フレーム、５２  下面、５３  側面、５４  長側面、５５  短側面、５６  ＬＥＤ配置部、５７  規制部、５８  仮止部、６０  結合部、６１  結合孔、６２  突起部、７０  保持部、７１  短側面、８０  保持部、８１  湾曲部
【図１】
2005283828.tif 000003
【図２】
2005283828.tif 000004
【図３】
2005283828.tif 000005
【図４】
2005283828.tif 000006
【図５】
2005283828.tif 000007
【図６】
2005283828.tif 000008
【図７】
2005283828.tif 000009
【図８】
2005283828.tif 000010
【図９】
2005283828.tif 000011
【図１０】
2005283828.tif 000012
【図１１】
2005283828.tif 000013
【図１２】
2005283828.tif 000014
【図１３】
2005283828.tif 000015
【図１４】
2005283828.tif 000016